(57)【要約】【課題】ロール紙プリンタにおいて、オートカット時にプラテン上から記録紙の浮き上がりを防止し、印刷動作のスループットを改善すること。【解決手段】ロール紙プリンタ１は、印刷時に記録紙１２ａをプラテン１９に吸引しながら搬送して記録紙１２ａの浮き上がりを防止する（ＳＴ１〜４）。印刷後のオートカット時にもプラテン１９に記録紙１２ａを吸引した状態を維持し、プラテン１９からの記録紙１２ａの浮き上がりを防止する（ＳＴ６）。オートカット時にプラテン１９から記録紙１２ａが浮き上がらないので、インクジェットヘッド１８を印刷領域２４内の印刷終了位置にそのまま待機させることができる（ＳＴ５）。印刷領域から外れたホームポジション２５に退避させる動作が不要になり、印刷動作のスループットを改善できる。【選択図】図７
2009101653.tif 000002
【特許請求の範囲】
【請求項１】
インクジェットヘッドに対峙したプラテンに形成されている吸引孔を介して前記プラテン上に位置している記録紙を当該プラテンに吸引した吸引状態を形成し、
この状態で、前記プラテンよりも記録紙搬送方向の下流側の切断位置にある前記記録紙の部分をオートカッタにより幅方向に切断することを特徴とするオートカッタ付きインクジェットプリンタの駆動方法。
【請求項２】
インクジェットヘッドに対峙したプラテンに形成されている吸引孔を介して前記プラテン上を搬送される記録紙を当該プラテンに吸引した吸引状態を形成し、
この状態で、前記インクジェットヘッドを印刷領域内の印刷開始位置に移動させ、前記インクジェットヘッドを、往復移動させながら前記記録紙に印刷を行う動作と、前記記録紙を搬送する動作とを交互に行い、
印刷終了後において、前記インクジェットヘッドを前記印刷領域内に待機させ、
前記吸引状態を維持したまま、前記切断位置にある前記記録紙の部分をオートカッタにより幅方向に切断することを特徴とするオートカッタ付きインクジェットプリンタの駆動方法。
【請求項３】
請求項２に記載のオートカッタ付きインクジェットプリンタの駆動方法において、
前記オートカッタにより前記記録紙を切断した後に連続して次の印刷を行う場合には、前記吸引状態を維持したまま、前記インクジェットヘッドを前記待機位置から前記印刷開始位置に移動させることを特徴とするオートカッタ付きインクジェットプリンタの駆動方法。
【請求項４】
インクジェットヘッドに対峙したプラテンに形成されている吸引孔を介して前記プラテン上を搬送される記録紙を当該プラテンに吸引した吸引状態を形成し、
前記プラテン上を搬送される記録紙を当該プラテンに吸引した前記吸引状態を形成し、
この状態で、前記インクジェットヘッドを印刷領域内の印刷開始位置に移動させ、前記インクジェットヘッドを、往復移動させながら前記記録紙に印刷を行う動作と、前記記録紙を搬送する動作とを交互に行い、
前記インクジェットヘッドによる印刷動作中に、前記オートカッタを駆動して前記切断位置にある前記記録紙の部分を幅方向に切断することを特徴とするオートカッタ付きインクジェットプリンタの駆動方法。
【請求項５】
インクジェットヘッドと、
当該インクジェットヘッドに対峙しているプラテンと、
当該プラテンに形成されている吸引孔を介して前記プラテン上に位置している記録紙を吸引する吸引ファンと、
前記プラテンよりも記録紙搬送方向の下流側において前記記録紙を幅方向に切断するオートカッタと、
前記インクジェットヘッドの印刷位置および前記オートカッタの切断位置を経由する搬送路に沿って前記記録紙を搬送する搬送機構と、
前記インクジェットヘッド、前記吸引ファン、前記オートカッタ、および前記搬送機構を駆動制御するプリンタ駆動制御手段とを有し、
当該プリンタ駆動制御手段は、前記オートカッタによる前記記録紙の切断時および前記インクジェットヘッドによる前記記録紙の印刷時に、前記吸引ファンを駆動して前記記録紙を前記プラテンに吸引することを特徴とするオートカッタ付きインクジェットプリンタ。
【発明の詳細な説明】
【技術分野】
【０００１】
本発明は、ロール紙などの連続紙に印刷を行い、印刷後にオートカッタによって印刷済みの部分を切断して所定長さのレシートなどとして発行するオートカッタ付きインクジェットプリンタに関する。さらに詳しくは、連続紙を切断した際に、切断後の連続紙がプラテンから浮き上がってインクジェットヘッドのノズル面に干渉することの無いようにしたオートカッタ付きインクジェットプリンタの駆動方法に関する。
【背景技術】
【０００２】
インクジェットプリンタでは、インクジェットヘッドに狭いギャップで対峙させたプラテンによってインクジェットヘッドの印刷位置が規定されている。記録紙はプラテンに沿って搬送されながら、インクジェットヘッドによって印刷が施される。インクジェットヘッドとプラテンの間のギャップは狭いので、記録紙に折り目、巻き癖などが付いていると、プラテン上から浮き上がり、インクジェットヘッドのノズル面に干渉するおそれがある。記録紙がノズル面に当たると、記録紙がインクで汚れるという弊害が発生する。また、インクジェットヘッドのノズルに紙粉などの異物が付着して目詰まりが発生するおそれがあるので、ノズルのクリーニングが必要になる。
【０００３】
そこで、記録紙がプラテンから浮き上がらないように、プラテンに吸引孔を開け、吸引ファンによって記録紙をプラテンに吸引しながら当該記録紙を搬送する、所謂、吸引プラテンを備えたインクジェットプリンタが提案されている。特許文献１には吸引プラテンを備えた画像記録装置（インクジェットプリンタ）が開示されており、この画像記録装置では、プラテンよりも記録紙搬送方向の下流側に位置する切断装置によって切断された後の記録紙片を排紙カバーに吸引等するためのファンも備わっている。
【特許文献１】特開２００６−１７６２４３号公報
【発明の開示】
【発明が解決しようとする課題】
【０００４】
ここで、ロール紙などの連続紙に印刷を行うオートカッタ付きのインクジェットプリンタにおいては、連続紙のオートカット動作を行うと、プラテン上の連続紙の部分が浮き上がり、このままではインクジェットヘッドのノズルに接触するおそれがある。プラテンから浮き上がった連続紙がインクジェットヘッドのノズルに干渉することを回避するために、従来においては、連続紙のオートカット動作の前に、インクジェットヘッドをプラテンに対峙している印刷領域から外れたホームポジションなどに退避させる動作を行っている。連続紙のオートカット毎にインクジェットヘッドを印刷領域から退避させる動作は、オートカッタ付きインクジェットプリンタのスループットを低下させる要因となっている。
【０００５】
本発明の課題は、この点に鑑みて、オートカット時にプラテンから記録紙が浮き上がることを防止できるようにしたオートカッタ付きインクジェットプリンタの駆動方法を提案することにある。
【０００６】
また、本発明の課題は、オートカット時にプラテンから記録紙が浮き上がることを防止して、インクジェットヘッドを印刷領域から退避させる動作を不要にしたオートカッタ付きインクジェットプリンタの駆動方法を提案することにある。
【課題を解決するための手段】
【０００７】
上記の課題を解決するために、本発明のオートカッタ付きインクジェットプリンタの駆動方法は、インクジェットヘッドに対峙しているプラテンに形成されている吸引孔を介して前記プラテン上に位置している記録紙を当該プラテンに吸引した吸引状態を形成し、この状態で、前記プラテンよりも記録紙搬送方向の下流側の切断位置にある前記記録紙の部分をオートカッタにより幅方向に切断することを特徴としている。
【０００８】
本発明では、吸引プラテンを利用して、記録紙をプラテンに吸引した状態で当該記録紙のオートカットを行うようにしている。したがって、オートカット時にプラテン上の記録紙が浮き上がってインクジェットヘッドのノズル面に干渉してしまうことを確実に防止できる。
【０００９】
次に、本発明を適用したシリアル型のオートカッタ付きインクジェットプリンタの駆動方法は、
前記プラテン上を搬送される記録紙を当該プラテンに吸引した吸引状態を形成し、
この状態で、前記インクジェットヘッドを印刷領域内の印刷開始位置に移動させ、前記インクジェットヘッドを、往復移動させながら前記記録紙に印刷を行う動作と、前記記録紙を搬送する動作とを交互に行い、
印刷終了後においても、前記インクジェットヘッドを前記印刷領域内に待機させ、
前記吸引状態を維持したまま、前記切断位置にある前記記録紙の部分をオートカッタにより幅方向に切断することを特徴としている。
【００１０】
印刷後における記録紙のオートカットを、当該記録紙をプラテンに吸引した状態で行うので、記録紙がプラテンから浮き上がってインクジェットヘッドのノズル面に干渉することがない。よって、オートカット時に、インクジェットヘッドが浮き上がった記録紙に干渉しないように、プラテン上の印刷領域から退避させる動作が不要になる。この結果、インクジェットプリンタの印刷動作のスループットを向上させることができる。
【００１１】
また、本発明のインクジェットプリンタの駆動方法では、オートカッタにより記録紙を切断した後に連続して次の印刷を行う場合には、前記吸引状態を維持したまま、インクジェットヘッドを前記待機位置から前記印刷開始位置に移動させることができる。印刷領域から退避した位置からインクジェットヘッドを印刷開始位置に位置決めする場合に比べて、インクジェットヘッドの移動時間が短くて済むので、これによっても、印刷動作のスループットを向上させることができる。
【００１２】
次に、本発明を適用したシリアル型のオートカッタ付きインクジェットプリンタの駆動方法は、
プラテン上を搬送される記録紙を当該プラテンに吸引した吸引状態を形成し、
この状態で、インクジェットヘッドを印刷領域内の印刷開始位置に移動させ、インクジェットヘッドを、往復移動させながら記録紙に印刷を行う動作と、記録紙を搬送する動作とを交互に行い、
インクジェットヘッドによる印刷動作中に、オートカッタを駆動して切断位置にある記録紙の部分を幅方向に切断することを特徴としている。
【００１３】
記録紙の印刷と搬送が交互に行われる印刷中においては、記録紙がプラテンから浮き上がらないように吸引ファンによってプラテンに吸引された吸引状態が形成されている。本発明の駆動方法では、記録紙が搬送されずにプラテンに吸引されている行印刷中の時間を利用して、オートカッタにより記録紙を切断している。したがって、記録紙がプラテンから浮き上がることなくオートカットを行うことができ、しかも、印刷動作のスループットを向上させることができる。
【００１４】
一方、本発明のオートカッタ付きインクジェットプリンタは、
インクジェットヘッドと、
当該インクジェットヘッドに対峙しているプラテンと、
当該プラテンに形成されている吸引孔を介して前記プラテン上に位置している記録紙を吸引する吸引ファンと、
前記プラテンよりも記録紙搬送方向の下流側において前記記録紙を幅方向に切断するオートカッタと、
前記インクジェットヘッドの印刷位置および前記オートカッタの切断位置を経由する搬送路に沿って前記記録紙を搬送する搬送機構と、
前記インクジェットヘッド、前記吸引ファン、前記オートカッタ、および前記搬送機構を駆動制御するプリンタ駆動制御手段とを有し、
当該プリンタ駆動制御手段は、前記オートカッタによる前記記録紙の切断時および前記インクジェットヘッドによる前記記録紙の印刷時に、前記吸引ファンを駆動して前記記録紙を前記プラテンに吸引することを特徴としている。
【発明の効果】
【００１５】
本発明では、記録紙をプラテンに吸引した状態でオートカッタによる記録紙のオートカットを行っている。したがって、オートカット時に記録紙がプラテンから浮き上がってインクジェットヘッドのノズル面に干渉することを回避できる。よって、シリアル型インクジェットプリンタに本発明を適用すれば、インクジェットヘッドを印刷領域から退避させることなくオートカットを行うことができるので、印刷動作のスループットを向上させることができる。
【発明を実施するための最良の形態】
【００１６】
以下に、図面を参照して、本発明を適用したオートカッタ付きインクジェットプリンタの実施の形態を説明する。
【００１７】
（全体構成）
図１は本発明の実施の形態に係るシリアル型のオートカッタ付きインクジェットプリンタであるロール紙プリンタ１を示す外観斜視図であり、図２はその開閉蓋を全開にした状態の外観斜視図である。ロール紙プリンタ１は全体としてほぼ直方体形状をしたプリンタ本体２と、当該プリンタ本体２の前面に取り付けた開閉蓋３とを有している。プリンタ本体２の外装ケース２ａの前面には所定幅の記録紙排出口４が形成されている。記録紙排出口４の下側には排紙ガイド５が前方に突出しており、当該排紙ガイド５の側方には蓋開閉レバー６が配置されている。外装ケース２ａにおける排紙ガイド５および蓋開閉レバー６の下側には、ロール紙出し入れ用の矩形の開口部２ｂが形成されており、この開口部２ｂが開閉蓋３の蓋ケース３ａによって封鎖されている。
【００１８】
蓋開閉レバー６を操作すると開閉蓋３のロックが解除される。ロック解除後、排紙ガイド５を前方に引くと、開閉蓋３はその下端部を中心として前方にほぼ水平となるまで開く。開閉蓋３が開くと、図２に示すように、プリンタ内部に組み込まれているロール紙供給機構１０のロール紙収納部１１が開放状態となる。同時に、ロール紙収納部１１から記録紙排出口４に到る記録紙搬送経路が開放状態となり、プリンタ前方からロール紙の交換作業などを簡単に行うことができるようになる。なお、図２においては、開閉蓋３の蓋ケース３ａおよび蓋開閉レバー６を省略してある。
【００１９】
図３（ａ）はロール紙プリンタ１の内部構造を示す概略構成図である。ロール紙プリンタ１の内部に形成されているロール紙収納部１１には、ロール紙１２がプリンタ幅方向に向いた横置き状態で転動可能に収納される。ロール紙１２は記録紙１２ａ（図において太い一点鎖線で示してある。）をロール状に巻き取った構成のものである。ロール紙収納部１１に収納されているロール紙１２から繰り出される長尺状の記録紙１２ａ（連続紙）は、斜め上方に引き出された後に湾曲状の紙送りガイド１４によって湾曲させられた後に水平方向に延びている搬送路１５（記録紙１２ａを示す一線鎖線と同一の経路）に沿って搬送され、記録紙排出口４から排出される。
【００２０】
水平方向に延びている搬送路１５の部分はロール紙収納部１１の真上に位置しており、当該搬送路部分には、インクジェットヘッド１８およびプラテン１９が一定のギャップで上下方向から対向配置されており、プラテン１９によってインクジェットヘッド１８の印刷位置２０が規定されている。プラテン１９は吸引機構５０（図５参照）が接続されている吸引プラテンであり、この上を搬送される記録紙１２ａを当該プラテン上に吸引して浮き上がりを防止可能である。
【００２１】
図３（ｂ）はロール紙プリンタ１におけるインクジェットヘッド１８が配置されている部分を示す説明図である。インクジェットヘッド１８はヘッドキャリッジ２１に搭載されている。ヘッドキャリッジ２１は、キャリッジモータ２２によって、プリンタ幅方向に水平に架け渡したキャリッジガイド軸２３に沿って往復移動する。インクジェットヘッド１８は、プラテン１９上に位置する印刷領域２４を往復移動しながら、プラテン１９上を搬送される記録紙１２ａに印刷を施す。印刷待機状態においては、印刷領域２４から横方に外れた想像線で示すホームポジション２５に位置している。ホームポジション２５の下側には、ノズルキャップ（図示せず）を備えたヘッドメンテナンスユニット２６が配置されており、インクジェットヘッド１８は当該ホームポジション２５において公知のヘッド回復処理などが行われる。
【００２２】
次に、搬送路１５におけるインクジェットヘッド１８の上流側には上流側紙送りローラ３１が配置されており、この上流側紙送りローラ３１は紙送りモータ３２によって回転駆動される。この上流側紙送りローラ３１には記録紙１２ａを介して押えローラ３３が連れ回りするように押し付けられている。インクジェットヘッド１８の下流側には、上流側紙送りローラ３１と同期して回転する下流側紙送りローラ３４が配置されており、この下流側紙送りローラ３４には記録紙１２ａを介して押えローラ３５が連れ回りするように押し付けられている。印刷位置２０より記録紙搬送方向の下流側には、記録紙排出口４の近傍にオートカッタ４０が配置されている。印刷後の記録紙１２ａの先端部分は、当該オートカッタ４０によって幅方向に切断される。
【００２３】
（オートカッタおよびプラテン）
図４（ａ）はオートカッタ４０およびプラテン１９を示す部分断面図であり、図４（ｂ）はオートカッタ４０の動作説明図である。本例のオートカッタ４０は鋏式のものであり、下側に配置されている固定刃４１と、上側に配置されている可動刃４２と、この可動刃４２を駆動するためのカッタモータ４３とを備えている。可動刃４２はその一方の端部側の支軸４４を中心として上下方向に旋回可能に支持されている。可動刃４２には長孔からなるスライド溝４５が形成されており、このスライド溝４５にはスライド可能な状態でスライドピン４６が挿入されている。スライドピン４６はウォームホィール４７の円形端面に取り付けられており、ウォームホィール４７は、カッタモータ４３によって回転するウォームギヤ４８に噛み合っている。スライドピン４６が１回転すると、可動刃４２は図４（ｂ）において実線で示す待機位置から想像線で示す固定刃４１に重なった切断終了位置までの間を１往復する。
【００２４】
次に、図５はプラテン１９および吸引機構５０を取り出して示す斜視図である。図４（ａ）および図５を参照して説明すると、プラテン１９の表面には記録紙搬送方向に延びる複数本の縦リブ１９ａが所定の間隔で形成されている。これらの縦リブ１９ａの間に形成されている細長い長方形の浅い凹部の底には１個または複数個の吸引孔１９ｂが上下方向に貫通した状態に形成されている。プラテン１９の裏面側は封鎖空間１９ｃとなっており、ここには、吸引機構５０の吸引ダクト５１の前端が接続されている。吸引ダクト５１の後端はロール紙プリンタ１の後端部に配置されている吸引ファン５２の吸引口に接続されている。なお、プラテン１９は開閉蓋３の側に搭載されており、開閉蓋３と一緒に開閉する。開閉蓋３を閉じると、プラテン１９の封鎖空間１９ｃが吸引ダクト５１の前端に接続され、開閉蓋３を開くと、プラテン１９は吸引ダクト５１の前端から離れるようになっている。
【００２５】
（駆動制御系）
図６はロール紙プリンタ１の駆動制御系を示す概略ブロック図である。駆動制御系はＣＰＵ、ＲＯＭ、ＲＡＭなどを含むＭＰＵを中心に構成されている駆動制御部６１を備えている。駆動制御部６１には、搬送路１５に配置されている記録紙センサ、ヘッドキャリッジ２１の移動位置を検出するためのキャリッジセンサなどを含む各種のセンサ群６２から各種の検出信号が供給される。駆動制御部６１は、これらの検出信号に基づき、紙送りモータ３２を駆動して記録紙１２ａの搬送動作を制御する。また、記録紙１２ａの搬送に同期させて、キャリッジモータ２２およびインクジェットヘッド１８を駆動して、上位機器６３から供給された印刷指令及び印刷データに基づき、記録紙１２ａ上に印刷する印刷動作を制御する。さらに、オートカッタ４０によるオートカットモードが指定されている場合には、或いは上位機器６３から供給されたオートカット指令により、一連の印刷動作の終了後に、カッタモータ４３を駆動して、記録紙１２ａのオートカット動作を制御する。さらには、吸引ファン５２を駆動して、プラテン１９上を搬送される記録紙１２ａを当該プラテン１９に吸引する吸引動作を制御する。
【００２６】
（印刷およびオートカット動作の例）
図７はロール紙プリンタ１のオートカットモード時の印刷動作を示す概略フローチャートである。上位機器６３から印刷指令および印刷データを受けると、ロール紙プリンタ１の駆動制御部６１は、吸引ファン５２を駆動して記録紙１２ａをプラテン１９に吸引する吸引動作を開始する（ステップＳＴ１）。また、紙送りモータ３２を駆動して記録紙１２ａを搬送してその先頭を所定の位置に位置決めし、ヘッドキャリッジ２１を移動させてインクジェットヘッド１８をホームポジション２５から印刷領域２４内の印刷開始位置に位置決めする（ステップＳＴ２）。この後は、インクジェットヘッド１８を印刷領域２４内において行方向に移動させながらインク液滴を吐出する行印刷動作と、記録紙１２ａを１行分送り出す紙送り動作とを交互に繰り返して、吸引されながらプラテン１９上を搬送される記録紙１２ａの部分に印刷を行う（ステップＳＴ３、ＳＴ４）。
【００２７】
一連の印刷動作が終了した後も、記録紙１２ａをプラテン１９に吸引する吸引状態を継続する。また、インクジェットヘッド１８をホームポジション２５に退避させることなく、印刷領域２４内の印刷終了位置に、そのまま待機させる（ステップＳＴ５）。
【００２８】
この状態で、オートカッタ４０を駆動して、その切断位置に位置している記録紙１２ａの部分を幅方向に切断する（ステップＳＴ６）。記録紙１２ａのオートカット時には、プラテン１９上の記録紙１２ａの部分は当該プラテン１９に吸引された状態に保持されている。したがって、オートカット時に記録紙１２ａがプラテン１９から浮き上がって、印刷領域２４内にそのまま留まっているインクジェットヘッド１８のノズル面１８ａに干渉してしまうことがない。オートカット後は、次の印刷指令および印刷データが有る場合には、印刷終了位置に待機しているインクジェットヘッド１８を印刷開始位置に移動させた後に、印刷動作を開始する（ステップＳＴ７、ＳＴ３）。
【００２９】
このように、オートカット毎にインクジェットヘッド１８をホームポジション２５に退避させる動作が不要である。したがって、印刷動作のスループットを向上させることができる。
【００３０】
印刷が終了した後は、インクジェットヘッド１８をホームポジション２５に退避させ（ステップＳＴ８）、しかる後に、吸引機構５０の駆動を停止して、記録紙１２ａの吸引状態を解除する（ステップＳＴ９）。
【００３１】
（その他の実施の形態）
上記のロール紙プリンタ１では、印刷終了後にオートカット動作を行っている。印刷動作中にオートカット動作を行うことも可能である。例えば、行印刷および行送りを交互に行う場合に、行印刷を行っている時間を利用して、オートカッタ４０を駆動して印刷済みの記録紙１２ａの部分を切断することも可能である。
【００３２】
図８は、印刷動作中にオートカット動作を行うことを示す概略フローチャートである。上位機器６３から印刷指令および印刷データを受けると、駆動制御部６１は、吸引ファン５２を駆動して吸引動作を開始する（ステップＳＴ１１）。また、紙送りモータ３２を駆動して記録紙１２ａを所定の位置に位置決めし、ヘッドキャリッジ２１を移動させてインクジェットヘッド１８を印刷開始位置に位置決めする（ステップＳＴ１２）。
【００３３】
駆動制御部６１は、記録紙１２ａが切断位置にあるかを判断し（ステップＳＴ２０）、切断位置にあると判断した場合（ステップＳＴ２０：Ｙｅｓ）、インクジェットヘッド１８を印刷領域２４内において行方向に移動させながらインク液滴を吐出する行印刷動作を行い、同時にオートカッタ４０を駆動して記録紙１２ａを切断する（ステップＳＴ２１）。記録紙１２ａはプラテン１９に吸引された状態に保持されている。切断位置ではないと判断した場合（ステップＳＴ２０：ｎｏ）、インクジェットヘッド１８を印刷領域２４内において行方向に移動させながらインク液滴を吐出する行印刷動作を行う（ステップＳＴ２２）。いずれの場合も、この後、記録紙１２ａを１行分送り出す紙送り動作を行う（ステップＳＴ２３）。
【００３４】
印刷動作が終了した後（ステップＳＴ１４：Ｙｅｓ）、インクジェットヘッド１８を印刷終了位置に待機させる（ステップＳＴ１５）。次の印刷指令および印刷データが有る場合には、インクジェットヘッド１８を印刷開始位置に移動させ、印刷動作を開始する（ステップＳＴ１７、ＳＴ１２）。印刷が終了した後は、インクジェットヘッド１８をホームポジション２５に退避させ（ステップＳＴ１８）、吸引機構５０の駆動を停止する（ステップＳＴ１９）。
【００３５】
連続で複数枚の印刷物を印刷する場合には、印刷と同時にオートカッタ４０を駆動して記録紙１２ａを切断すると、さらにスループットを向上させることができる。
【図面の簡単な説明】
【００３６】
【図１】本発明を適用したロール紙プリンタの外観斜視図である。
【図２】図１のロール紙プリンタの開閉蓋を開けた状態を示す外観斜視図である。
【図３】図１のロール紙プリンタの内部構成を示す概略構成図である。
【図４】オートカッタおよびプラテンを示す部分断面図および説明図である。
【図５】プラテンの吸引機構を示す斜視図である。
【図６】ロール紙プリンタの駆動制御系の概略ブロック図である。
【図７】ロール紙プリンタの動作例を示す概略フローチャートである。
【図８】ロール紙プリンタの別の動作例を示す概略フローチャートである。
【符号の説明】
【００３７】
１  ロール紙プリンタ、２  プリンタ本体、２ａ  外装ケース、３  開閉蓋、３ａ  蓋ケース、４  記録紙排出口、５  排紙ガイド、６  蓋開閉レバー、１１  ロール紙収納部、１２  ロール紙、１２ａ  記録紙、１４  紙送りガイド、１５  搬送路、１８  インクジェットヘッド、１８ａ  ノズル面、１９  プラテン、１９ａ  縦リブ、１９ｂ  吸引孔、１９ｃ  封鎖空間、２０  印刷位置、２１  ヘッドキャリッジ、２２  キャリッジモータ、２３  キャリッジガイド軸、２４  印刷領域、２５  ホームポジション、２６  ヘッドメンテナンスユニット、３１  上流側紙送りローラ、３２  紙送りモータ、３３  押えローラ、３４  下流側紙送りローラ、３５  押えローラ、４０  オートカッタ、４１  固定刃、４２  可動刃、４３  カッタモータ、４４  支軸、４５  スライド溝、４６  スライドピン、４７  ウォームホィール、４８  ウォームギヤ、５０  吸引機構、５１  吸引ダクト、５２  吸引ファン、６１  駆動制御部、６２  センサ群、６３  上位機器
【図１】
2009101653.tif 000003
【図２】
2009101653.tif 000004
【図３】
2009101653.tif 000005
【図４】
2009101653.tif 000006
【図５】
2009101653.tif 000007
【図６】
2009101653.tif 000008
【図７】
2009101653.tif 000009
【図８】
2009101653.tif 000010